(57)【要約】      （修正有）【課題】表示部分の貼着が剥がれるものではなく、薄暗い状況でも、他者からの光が当たった場合に視認性を向上させることができる表示部を備えた傘を提供する。【解決手段】放射状に延びる複数本の傘骨に取り付けられた傘布の予め定められた位置に、社名、団体名、施設名、商標名、商品名、ロゴ又は紋章が印刷された表示部１８を備える。表示部１８は再帰反射性塗料で印刷されている。【選択図】図１
0003190325.tif 000002
【実用新案登録請求の範囲】
【請求項１】
放射状に延びる複数本の傘骨に取り付けられた傘布の予め定められた位置に、社名、団体名、施設名、商標名、商品名、ロゴ又は紋章の１つ以上が印刷された表示部を備えた傘において、
前記表示部が、再帰反射性塗料で印刷されたものであることを特徴とする傘。
【請求項２】
放射状に延びる複数本の傘骨に取り付けられた傘布の予め定められた位置に、社名、団体名、施設名、商標名、商品名、ロゴ又は紋章の１つ以上が印刷された表示部を備えた傘において、
前記表示部が、再帰反射性塗料でスクリーン印刷されたものであることを特徴とする請求項１に記載の傘。
【請求項３】
放射状に延びる複数本の傘骨に取り付けられた傘布の予め定められた位置に、社名、団体名、施設名、商標名、商品名、ロゴ又は紋章が印刷された表示部を備えた傘において、
前記表示部が、再帰反射性塗料で印刷されたものであり、
前記表示部の印刷が、色の異なる複数の再帰反射性塗料によって多色刷りされたものであることを特徴とする傘。
【請求項４】
放射状に延びる複数本の傘骨に取り付けられた傘布の予め定められた位置に、社名、団体名、施設名、商標名、商品名、ロゴ又は紋章が印刷された表示部を備えた傘において、
前記表示部が、再帰反射性塗料でスクリーン印刷されたものであり、
前記表示部の印刷が、色の異なる複数の再帰反射性塗料によって多色刷りされたものであることを特徴とする傘。
【考案の詳細な説明】
【技術分野】
【０００１】
本考案は、傘に関するものであり、特に傘布に他者が視認可能な表示部を備えた傘に関するものである。
【背景技術】
【０００２】
日本橋の百貨店の前身である呉服屋の「越後屋」が江戸時代に「番傘貸し」というマーケティングシステムを行って大変に有名になった。具体的には、営業中に俄か雨が降り出すと、店の土間に傘を積み上げて、顧客だけでなく通行人に無料で貸し出しすシステムである。ただ、その傘を開くと、「越後屋」の屋号とその傘の番号とが書かれてあった。夕立や俄か雨が降ると、顧客だけでなく通行人までもがその傘を開くので、街は「越後屋の傘」で一杯になり、「越後屋」の名前が江戸中に知れ渡ったとされている。ちなみにその番号が書かれた傘が和傘の代名詞である「番傘」の語源となったことは有名な話である。
【０００３】
また、現代においても、傘地の表面や骨組などに、オリジナルデザインや社名等と共にＱＲコードをプリント若しくはデザインしたシールを添付する提案があった（特許文献１参照）。この提案自体はＱＲコードを用いる点で広告媒体の一部となると共に、メーカーから広告費を徴収するため、現在よりもコストを下げ、安価に消費者に提供することができる上、企業の宣伝にもなるという効果を奏するものであった。
【先行技術文献】
【特許文献】
【０００４】
【特許文献１】実用新案登録第３１２６５００号公報
【考案の概要】
【考案が解決しようとする課題】
【０００５】
しかしながら、前述の提案については、傘をさした際に最も目立つ箇所は傘布であり、シールを添付するものであったため、シールが傘の開け閉めや雨等によって剥がれやすい課題があった。また、雨傘をさす場合には天候が悪く、貼付されたシールが目立たない課題もあった。更に、使用者に自身が広告塔として他者の目にさらされているとの意識が生じ易いのでもあった。
【０００６】
本考案は、表示部分の貼着が剥がれるものではなく、薄暗い状況でも、他者からの光が当たった場合に視認性を向上させることができる表示部を備えた傘を得ることを目的とする。
【課題を解決するための手段】
【０００７】
請求項１に記載された考案に係る傘は、放射状に延びる複数本の傘骨に取り付けられた傘布の予め定められた位置に、社名、団体名、施設名、商標名、商品名、ロゴ又は紋章が印刷された表示部を備えた傘において、
前記表示部が、再帰反射性塗料で印刷されたものであることを特徴とするものである。
【０００８】
請求項２に記載された考案に係る傘は、放射状に延びる複数本の傘骨に取り付けられた傘布の予め定められた位置に、社名、団体名、施設名、商標名、商品名、ロゴ又は紋章が印刷された表示部を備えた傘において、
前記表示部が、再帰反射性塗料でスクリーン印刷されたものであることを特徴とするものである。
【０００９】
請求項３に記載された考案に係る傘は、放射状に延びる複数本の傘骨に取り付けられた傘布の予め定められた位置に、社名、団体名、施設名、商標名、商品名、ロゴ又は紋章が印刷された表示部を備えた傘において、
前記表示部が、再帰反射性塗料で印刷されたものであり、
前記表示部の印刷が、色の異なる複数の再帰反射性塗料によって多色刷りされたものであることを特徴とするものである。
【００１０】
請求項４に記載された考案に係る傘は、放射状に延びる複数本の傘骨に取り付けられた傘布の予め定められた位置に、社名、団体名、施設名、商標名、商品名、ロゴ又は紋章が印刷された表示部を備えた傘において、
前記表示部が、再帰反射性塗料でスクリーン印刷されたものであり、
前記表示部の印刷が、色の異なる複数の再帰反射性塗料によって多色刷りされたものであることを特徴とするものである。
【考案の効果】
【００１１】
本考案は、表示部分の貼着が剥がれるものではなく、薄暗い状況でも他者からの光が当たった場合に視認性を向上させることができる表示部を備えた傘を得ることができるという効果がある。
【図面の簡単な説明】
【００１２】
【図１】本考案の傘の一実施例の使用状態を示す説明図である。
【図２】図１の傘布の展開状態を示す平面図である。
【図３】他の実施例の傘布の展開状態を示す平面図である。
【図４】更に他の実施例の傘布の展開状態を示す平面図である。
【考案を実施するための形態】
【００１３】
本考案においては、放射状に延びる複数本の傘骨に取り付けられた傘布の予め定められた位置に、社名、団体名、施設名、商標名、商品名、ロゴ又は紋章の１つ以上が印刷された表示部を備えた傘において、この表示部が再帰反射性塗料で印刷されたものである．これにより、表示部分の貼着が剥がれるものではなく、薄暗い状況でも他者からの光が当たった場合に視認性を向上させることができる利点を奏する。
【００１４】
本考案の傘については、企業の社名、紋章、ロゴ等を表示部に印刷するため、自社の保有する施設に配置して来客者等に使用してもらったり、自社の自動車に搭載して来客者等に使用してもらったりすることができる。また、企業の社名、ロゴ、商品等を表示部に印刷するため、自社製品のノベルティグッズとしても利用可能である。
【００１５】
即ち、本考案の傘はその傘布の予め定められた位置に表示部を備える。表示部としては、株式会社・有限会社等の社名、社団・財団等の団体名、商業施設・遊興施設・宿泊施設等の施設名、特定の商品に付された商標名や商品名、図案化・装飾化された文字・文字列であるロゴ又は組織及び団体などを識別し、特定する意匠又は図案である紋章の何れか１つ以上が印刷されたものを指す。
【００１６】
本考案の傘としては、全体を支えるシャフト棒と、全体を覆う傘布、傘布を支える骨によって構成された洋傘と言われる通常の傘、折り畳み傘が用いられる。
【００１７】  本考案の傘では、この表示部が再帰反射性塗料で印刷されたものである。本考案の傘に使用される再帰反射性塗料としては、入射してきた方向に光を反射させる性質を有する塗料であればよく、例えば、微細な高屈折ガラスビーズの一部を印刷面に表出させることにより、入射してきた方向に光を反射させる再帰反射性の塗料が、既に広く市販されている。例えば、（公序良俗違反につき、不掲載）等の再帰反射性塗料を用いることが可能である。
【００１８】
本考案の表示部の印刷としては、種々の方法を取り得る。再帰反射性塗料の印刷としては、スプレーや刷毛による塗布によって傘布に印刷可能であるが、スクリーン印刷による印刷では、安定した明瞭な印刷面を得ることができる。
【００１９】
再帰反射性塗料の色調としては種々の色があり、例えば、ゴールド、シルバー、ホワイト、イエロー、レッド、グリーン、ブルー、ブラック等の色が既に市販されている。これらを単色又は２色以上の塗料を組み合わせて印刷されればよい。従って、好ましくは、表示部の印刷が、色の異なる複数の再帰反射性塗料によって多色刷りされる。
【実施例】
【００２０】
図１は本考案の傘の一実施例の使用状態を示す説明図である。図２は図１の傘布の展開状態を示す平面図である。図３は他の実施例の傘布の展開状態を示す平面図である。図１に示す通り、本実施例の傘１０は、全体を覆う傘布１１と、この傘布１１を支える８本の骨１２と、これら８本の骨の端部を中心に集めた石突き部１３を先端部に備えたシャフト棒１４と、シャフト棒１４の他端部に備えた手持ち部１５とを備える。
【００２１】
図２に示す通り、８枚の略三角形状の部分布１１ａを略円形に縫い合わせて構成された傘布１１の隣接しない４枚の部分布１１ａには表示部１８が形成され、商品名としての「ＡＢＣ」が印刷されている。この表示部１８の印刷は、再帰反射性塗料でスクリーン印刷されている。尚、本実施例とは異なる傘布の色、異なる色の再帰反射性塗料で印刷を行っても何ら問題はない。
【００２２】
再起反射性塗料としては、微細な高屈折ガラスビーズの一部を印刷面に表出させることにより、入射してきた方向に光を反射させる白色の塗料を用いた。紺色の傘布１１の表示部１８に白色の塗料で商品名をスクリーン印刷を施しているため、昼間の雨においても、その商品名が視認しやすく、更に、夜間や薄暗い状況になっても、自動車のヘッドライトが当たると、該当するヘッドライト方向に光を反射させるため、自動車を運転するドライバーや搭乗者にもその商品名が視認しやすい利点がある。
【００２３】
図１及び図２に示した傘は、一部の部分布１１ａの各々に表示部１８を備えた例を示したが、表示部は１枚以上の部分布に跨がって形成されても良いし、傘布全体を用いて形成されても良い。
【００２４】
図３は他の実施例の傘布の展開状態を示す平面図である。図３の傘は傘布３１の表示部３８の構成以外は図１に示す傘と同様である。即ち、本実施例の傘３０は、全体を覆う傘布３１と、この傘布３１を支える８本の骨３２と、これら８本の骨の端部を中心に集めた石突き部３４を先端部に備えたシャフト棒（図示せず）と、このシャフト棒の他端部に備えた手持ち部（図示せず）とを備える。
【００２５】
図３の８枚の略三角形状の部分布３１ａを略円形に縫い合わせて構成された傘布３１の隣接する２枚の部分布３１ａに跨がって表示部３８が形成され、屋号を示す紋章としての家紋が４つ印刷されている。この表示部３８の印刷は、モスグリーン色の傘布３１の表示部３８に黄色の再帰反射性塗料でスクリーン印刷を施している。尚、本実施例とは異なる傘布の色、異なる色の再帰反射性塗料で印刷を行っても何ら問題はない。
【００２６】
図４は更に他の実施例の傘布の展開状態を示す平面図である。図４の傘は傘布４１の表示部４８の構成以外は図１に示す傘と同様である。即ち、本実施例の傘４０は、全体を覆う傘布４１と、この傘布４１を支える８本の骨４２と、これら８本の骨の端部を中心に集めた石突き部４３を先端部に備えたシャフト棒（図示せず）と、このシャフト棒の他端部に備えた手持ち部（図示せず）とを備える。
【００２７】
図４の８枚の略三角形状の部分布４１ａを略円形に縫い合わせて構成された傘布４１の全ての部分布４１ａに跨がって表示部４８が形成され、屋号を示す紋章としての家紋が１つ印刷されている。この表示部４８の印刷は、グレー色の傘布４１の表示部４８に緑色の再帰反射性塗料でスクリーン印刷を施している。尚、実施例とは異なる傘布の色、異なる色の再帰反射性塗料で印刷を行っても何ら問題はない。
【００２８】
本考案の傘については、社名、団体名、施設名、商標名、商品名、ロゴ又は紋章等を表示部に印刷するため、旅館、ホテル、自社の保有する施設に配置して来客者等に使用してもらったり、自社の自動車に搭載して来客者等に使用してもらったりすることができる。また、自社製品のノベルティグッズとしても利用可能である。例えば、自動車を販売する会社では、自社製品の自動車の商品名や企業の社名、ロゴを印刷した傘をノベルティグッズとして、自動車を購入した購入者、試乗会で試乗した試乗客に配布することも可能である。
【符号の説明】
【００２９】
１０  ，３０  ，４０  …傘、
１１  ，３１  ，４１  …傘布、
１１ａ，３１ａ，４１ａ…部分布、
１２  ，３２  ，４２  …骨、
１３  ，３３  ，４３  …石突き部、
１４                  …シャフト棒、
１５                  …手持ち部、
１８  ，３８  ，４８  …表示部、
【図１】
0003190325.tif 000003
【図２】
0003190325.tif 000004
【図３】
0003190325.tif 000005
【図４】
0003190325.tif 000006
【手続補正書】
【提出日】平成26年2月18日(2014.2.18)
【手続補正１】
【補正対象書類名】明細書
【補正対象項目名】０００３
【補正方法】変更
【補正の内容】
【０００３】
また、現代においても、傘地の表面や骨組などに、オリジナルデザインや社名等と共にＱＲコードをプリント若しくはデザインしたシールを添付する提案があった（特許文献１参照）。この提案自体はＱＲコード（登録商標）を用いる点で広告媒体の一部となると共に、メーカーから広告費を徴収するため、現在よりもコストを下げ、安価に消費者に提供することができる上、企業の宣伝にもなるという効果を奏するものであった。
【手続補正２】
【補正対象書類名】明細書
【補正対象項目名】００１８
【補正方法】変更
【補正の内容】
【００１８】
本考案の傘では、この表示部が再帰反射性塗料で印刷されたものである。本考案の傘に使用される再帰反射性塗料としては、入射してきた方向に光を反射させる性質を有する塗料であればよく、例えば、微細な高屈折ガラスビーズの一部を印刷面に表出させることにより、入射してきた方向に光を反射させる再帰反射性の塗料が、既に広く市販されている。
【手続補正書】
【提出日】平成26年2月27日(2014.2.27)
【手続補正１】
【補正対象書類名】明細書
【補正対象項目名】００１７
【補正方法】変更
【補正の内容】
【００１７】
本考案の傘では、この表示部が再帰反射性塗料で印刷されたものである。本考案の傘に使用される再帰反射性塗料としては、入射してきた方向に光を反射させる性質を有する塗料であればよく、例えば、微細な高屈折ガラスビーズの一部を印刷面に表出させることにより、入射してきた方向に光を反射させる再帰反射性の塗料が、既に広く市販されている。
【手続補正２】
【補正対象書類名】明細書
【補正対象項目名】００１８
【補正方法】変更
【補正の内容】
【００１８】
本考案の表示部の印刷としては、種々の方法を取り得る。再帰反射性塗料の印刷としては、スプレーや刷毛による塗布によって傘布に印刷可能であるが、スクリーン印刷による印刷では、安定した明瞭な印刷面を得ることができる。